(57)【要約】【課題】所望する健康データだけを送信する健康測定機器を提供する。【解決手段】健康測定機器は、身体を測定して健康データを出力する測定手段と、１組以上の健康データを記憶する記憶手段と、上記記憶手段に記憶された１組以上の健康データを選択する選択手段と、健康測定データ中継装置にデータを送信する通信手段と、を備え、上記測定手段は、出力する健康データを上記記憶手段に送り、上記選択手段は、上記記憶手段に記憶されている１組以上の健康データの中から健康測定データ中継装置に送信する１組以上の健康データを選択し上記通信手段に送り、上記通信手段は、上記選択手段から送られた１組以上の健康データを健康測定データ中継装置に送信する。【選択図】図３
2008229125.tif 000002
【特許請求の範囲】
【請求項１】
身体を測定して健康データを出力する測定手段と、
１組以上の健康データを記憶する記憶手段と、
上記記憶手段に記憶された１組以上の健康データを選択する選択手段と、
健康測定データ中継装置にデータを送信する通信手段と、
を備え、
上記測定手段は、出力する健康データを上記記憶手段に送り、
上記選択手段は、上記記憶手段に記憶されている１組以上の健康データの中から健康測定データ中継装置に送信する１組以上の健康データを選択し上記通信手段に送り、
上記通信手段は、上記選択手段から送られた１組以上の健康データを健康測定データ中継装置に送信することを特徴とする健康測定機器。
【請求項２】
測定者識別媒体から測定者識別情報を読み出すとともに上記測定者識別媒体に健康データを書き込むカード通信手段を備え、
上記選択手段は、上記記憶手段に記憶されている健康データの中から測定者識別媒体に書き込む１組以上の健康データを選択することを特徴とする請求項１に記載の健康測定機器。
【発明の詳細な説明】
【技術分野】
【０００１】
この発明は、家庭などで測定した健康データを健康測定データ中継装置に送信する健康測定機器に関するものである。
【背景技術】
【０００２】
家庭外で身体を測定しネットワーク上にあるデータサーバに健康データを送信し、健康データをデータサーバに記憶する健康測定システムで使用する健康測定機器は、スポーツジム、病院、公共施設などに設置されている。利用者が健康測定システムを利用するとき、測定時に利用者を識別し、測定およびデータ送信に対し課金するシステムになっている（例えば、特許文献１参照）。
【０００３】
【特許文献１】特開２００２−８３０５５号公報
【発明の開示】
【発明が解決しようとする課題】
【０００４】
家庭外で身体を測定する場合、徒歩など移動してきて測定するため、例えば、血圧が安静時血圧に達するまでに血圧が数回測定される。また、運動能力計や体力測定機器を使用して測定した場合、測定した複数の測定値の中から自分の満足いく測定値だけを選択して健康データとして送信したいという要求がある。
しかし、従来の健康測定システムでは測定の度に健康データが送信されてしまうので、安静時の血圧値および満足いく測定値以外の測定値も健康データとして送信されてしまい治療や健康管理のための正しいデータが得られないという問題がある。
また、測定の度に健康データが送信されるので、意図しない測定や送信に課金され、費用がかさむという問題がある。
【０００５】
この発明の目的は、所望する健康データだけを送信する健康測定機器を提供することである。
【課題を解決するための手段】
【０００６】
この発明に係る健康測定機器は、身体を測定して健康データを出力する測定手段と、１組以上の健康データを記憶する記憶手段と、上記記憶手段に記憶された１組以上の健康データを選択する選択手段と、健康測定データ中継装置にデータを送信する通信手段と、
を備え、上記測定手段は、出力する健康データを上記記憶手段に送り、上記選択手段は、上記記憶手段に記憶されている１組以上の健康データの中から健康測定データ中継装置に送信する１組以上の健康データを選択し上記通信手段に送り、上記通信手段は、上記選択手段から送られた１組以上の健康データを健康測定データ中継装置に送信する。
【発明の効果】
【０００７】
この発明に係る健康測定機器の効果は、健康データを一旦記憶手段に記憶し、その後記憶手段に記憶されている健康データから健康データを選択し健康測定データ中継装置に送信するので、治療や健康管理に役立つ健康データだけを選択すれば、治療や健康管理に役立つ結果が得られるし、望まない健康データを選択しなければ、送信および記憶に係る費用を節約することである。
【発明を実施するための最良の形態】
【０００８】
実施の形態１．
図１は、この発明の実施の形態１による健康測定システムの構成図である。図２は、血圧計の斜視図である。
この発明の実施の形態による健康測定システムは、サービスプロバイダが提供するサービスを利用するためのシステムであり、このサービスは、家庭内外で測定した健康データをサービスプロバイダが設置するデータサーバ２に記憶することである。
また、この発明の実施の形態による健康測定システムは、図１に示すように、血圧、体重、体脂肪率などの健康データを測定するための血圧計、体重計、体脂肪計などの健康測定機器３、健康測定機器３で測定した健康データを収集しデータサーバ２に中継する健康測定データ中継装置としてのゲートウエイ４、健康データを記憶するデータサーバ２備える。
【０００９】
また、この発明の実施の形態による健康測定システムでは、健康測定機器３とゲートウエイ４との間で無線５による通信が行われ、ゲートウエイ４とデータサーバ２との間でインターネット６を介する通信が行われる。
【００１０】
図２は、この発明の実施の形態１による血圧計の斜視図である。図３は、この発明の実施の形態１による血圧計の制御部の機能ブロック図である。
この発明の実施の形態１による健康測定機器３として血圧計７を例にして説明する。
この発明の実施の形態１による血圧計７は、図２に示すように、測定した最高血圧値および最低血圧値、および記憶手段２２に記憶されている最高血圧値および最低血圧値を表示する表示パネル１１、血圧値を測定するための腕帯１２、血圧測定を開始する電源・測定ボタン１３、測定された測定値を記憶手段２２に記憶するための書込ボタン１４、記憶手段２２に記憶されている測定値を表示パネル１１に表示するための表示ボタン１５、表示パネル１１に表示された測定値から最高血圧値と最低血圧値の一組を選択するためのデータ選択ボタン１６、測定者を識別する測定者識別情報を読み出す読出手段としてのＩＣカード通信部１７、ゲートウエイ４に健康データを送信する通信手段としての無線装置１８を備える。
【００１１】
また、この発明の実施の形態１による血圧計７は、血圧計７を制御する制御部１９を備える。制御部１９は、図３に示すように、腕帯１２の空気量を調整し腕に加わる圧力を調整するとともに腕帯１２に付けられた図示しないセンサにより検出された脈動から最高血圧値および最低血圧値を測定する測定手段２１、最高血圧値および最低血圧値が記憶される記憶手段２２、押されたデータ選択ボタン１６に従って表示パネル１１に表示されている測定値を選択して無線装置１８に送る選択手段２３を有する。
記憶手段２２は、前回から過去に遡る所定の回数分の最高血圧値と最低血圧値が記憶されている。
【００１２】
次に、血圧計７により血圧を測定しゲートウエイ４に送信する手順について説明する。
測定を開始するにあたって、腕帯１２を腕に巻きつけ、血圧計７の電源・測定ボタン１３を押すと血圧測定が開始される。
測定が終了すると、表示パネル１１に最高血圧値と最低血圧値が表示される。
最高血圧値および最低血圧値が表示パネル１１に表示されているとき、書込ボタン１４を押すと、表示されている最高血圧値と最低血圧値が記憶手段２２に記憶される。
次に、表示ボタン１５を押すと、所定の回数分の最高血圧値と最低血圧値が表示パネル１１に表示される。そして、所望の最高血圧値と最低血圧値に対応するデータ選択ボタン１６を押すと、所望の最高血圧値と最低血圧値が一組として選択される。
ユーザは、ＩＣカードをＩＣカード通信部１７にあて測定者識別情報を読み取らせる。
血圧計７は読み取った測定者識別情報と選択された一組の最高血圧値および最低血圧値とが対にして血圧計７の無線装置１８からゲートウエイ４に送信する。
【００１３】
次に、測定者識別情報に基づいて行うユーザ認証について説明する。
血圧計７は、読み取った測定者識別情報をゲートウエイ４に送信する。
ゲートウエイ４は、測定者識別情報をデータサーバ２に送信する。
データサーバ２は、受信した測定者識別情報から有効なユーザであるか検索し、その結果をユーザ認証情報としてゲートウエイ４に送信する。
ゲートウエイ４は、ユーザ認証情報を血圧計７に送信する。
血圧計７は、ユーザ認証情報を参照して健康データの送信の可否を判断する。送信が可のとき測定者識別情報と選択された一組の最高血圧値および最低血圧値とを対にしてゲートウエイ４に送信する。
ゲートウエイ４は、受信した測定者識別情報と一組の最高血圧値および最低血圧値とを対にしてデータサーバ２に送信する。
【００１４】
なお、上述の実施の形態１による健康測定機器３として血圧計７を例に説明したが、血圧計７に限るものではなく、体温計、体脂肪計などにも本発明を適用することができる。体温計に適用した場合、体温が測定され、表示パネル１１には測定した体温と低温および高温のトレンド値とが表示される。体脂肪計に適用した場合、体重と体脂肪率が測定され、表示パネル１１には測定した体重と体脂肪率が表示される。
【００１５】
この発明の実施の形態１による健康測定機器３は、測定値を一旦記憶手段２２に記憶し、その後記憶手段２２に記憶されている測定値から所望の測定値だけを選択しゲートウエイ４に送信するので、治療や健康管理に役立つ測定値だけを選択すれば、治療や健康管理に役立つ結果が得られるし、望まない測定値を選択しなければ、送信および記憶に係る費用を節約することができる。
【００１６】
実施の形態２．
図４は、この発明の実施の形態２による血圧計の斜視図である。図５は、この発明の実施の形態２による血圧計の制御部の機能ブロック図である。
この発明の実施の形態２による血圧計７Ｂは、実施の形態１による血圧計７に選択された測定値をＩＣカードに書き込む機能を追加したことが異なり、それ以外は同様であるので、同様な部分に同じ符号を付記し説明は省略する。なお、このＩＣカードは書込・読出がともにできるＩＣカードである。
この発明の実施の形態２による血圧計７Ｂは、図４に示すように、選択された測定値を測定者識別情報が記憶される測定者識別媒体であるＩＣカードに書き込むためのカード書込ボタン３１を備える。
この発明の実施の形態２によるＩＣカード通信部１７Ｂは、ＩＣカードから測定者識別情報を読み出すとともにＩＣカードに測定値を書き込むことができる。
この発明の実施の形態２による選択手段２３Ｂは、図５に示すように、ゲートウエイ４に健康データが送信できなかった場合、表示パネル１１に送信が不可能であった旨表示する。そして、カード書込ボタン３１が押されたら送信が不可能であった測定値をＩＣカードに書き込む。
【００１７】
この発明の実施の形態２による血圧計７Ｂは、課金状態により健康データの送信が不可能な場合、ＩＣカードに健康データを保存することができるので、ＩＣカードに保存された健康データを後で送信することにより健康データの欠落を防止することができる。
【図面の簡単な説明】
【００１８】
【図１】この発明の実施の形態１による健康測定システムの構成図である。
【図２】この発明の実施の形態１による血圧計の斜視図である。
【図３】この発明の実施の形態１による血圧計の制御部の機能ブロック図である。
【図４】この発明の実施の形態２による血圧計の斜視図である。
【図５】この発明の実施の形態２による血圧計の制御部の機能ブロック図である。
【符号の説明】
【００１９】
２  データサーバ、３  健康測定機器、４  ゲートウエイ、５  無線、６  インターネット、７、７Ｂ  血圧計、１１  表示パネル、１２  腕帯、１３  電源・測定ボタン、１４  書込ボタン、１５  表示ボタン、１６  データ選択ボタン、１７、１７Ｂ  ＩＣカード通信部、１８  無線装置、１９  制御部、２１  測定手段、２２  記憶手段、２３、２３Ｂ  選択手段、３１  カード書込ボタン。
【図１】
2008229125.tif 000003
【図２】
2008229125.tif 000004
【図３】
2008229125.tif 000005
【図４】
2008229125.tif 000006
【図５】
2008229125.tif 000007